(57)【要約】【課題】簡単に組み立てることが可能で、組立状態を確実に維持する。【解決手段】コーナーパッド２０は、物品１の第１端面２ａ，２ｂを覆う第１端壁部２１と、物品１の第２端面２ｃ，２ｄを覆う第２端壁部２２と、物品１の前面３または後面４をそれぞれ覆う一対の側壁部２４と、第２端壁部２２の側縁に連続するとともに側壁部２４の端縁に連続し、第１および第２端壁部２１，２２の境界部から傾斜して延びる区画用罫線３４により区画され、区画用罫線３４に沿った折り曲げにより側壁部２４の内側に重畳配置される第１および第２折込壁部２９，３０と、第１折込壁部２９、第２折込壁部３０および側壁部２４の順番で内側から重畳した状態を保持する保持部３７と、を備える。【選択図】図４
2014091548.tif 000002
【特許請求の範囲】
【請求項１】
物品の第１端面を覆う第１端壁部と、
前記第１端壁部の一端縁に連続し、前記物品の第１端面と隣接する第２端面を覆う第２端壁部と、
前記第１端壁部の側縁に連続し、前記物品の第１および第２端面に隣接する前面または後面をそれぞれ覆う一対の側壁部と、
前記第２端壁部の側縁に連続するとともに前記側壁部の端縁に連続し、前記第１および第２端壁部の境界部から傾斜して延びる区画用罫線により区画され、前記区画用罫線に沿った折り曲げにより前記側壁部の内側に重畳配置される第１および第２折込壁部と、
前記第１折込壁部、前記第２折込壁部および前記側壁部の順番で内側から重畳した状態を保持する保持部と、
を備えることを特徴とするコーナーパッド。
【請求項２】
前記第１および第２端壁部を境界線に沿って折り曲げ、重畳する前記側壁部と前記第２折込壁部とを貼着し、前記第１および第２端壁部を広げることにより組立可能としたことを特徴とする請求項１に記載のコーナーパッド。
【請求項３】
前記保持部は、中央に位置する前記第２折込壁部に形成した挿通溝と、外端に位置する前記側壁部および内端に位置する前記第１折込壁部のうち、一方に設けた係止溝と他方に設けた係止舌片とを有することを特徴とする請求項１または請求項２に記載のコーナーパッド。
【発明の詳細な説明】
【技術分野】
【０００１】
本発明は、窓枠、ドア、パネルなどの板状物品の角部に配置するコーナーパッドに関する。
【背景技術】
【０００２】
特許文献１に記載のコーナーパッドは、物品の隣接する第１および第２端面を覆う連続した第１および第２端壁部と、第１端壁部に連続した内側壁部と、第２端壁部に連続した外側壁部とを備える。外側壁部は、内側壁部の外面側に重畳するように折り曲げられ、内側壁部の内面側に折り込まれる折込壁部を備える。折込壁部に形成された係止片部を内側壁部に形成された係止穴部に係止することにより、組立状態が維持される。
【０００３】
特許文献２に記載のコーナーパッドは、物品の一端面に配置される第１端壁部と、第１端壁部の側縁に連設した一対の側壁部とを備える。第１端壁部の端縁と各側壁部の縁とは直線上に位置する。第１端壁部の端縁と一方の側壁部の端縁には内側端壁部が連設され、他方の側壁部の縁には外側端壁部とが連設されている。内側端壁部と外側端壁部とを貼着することにより、第１端壁部に対して直交方向に延びる第２端壁部が形成される。一対の側壁部には、第１および第２端壁部の交点から傾斜して延びる折曲線が設けられる。この折曲線に沿って折り曲げることにより、非使用時には平坦な状態とする。
【０００４】
しかしながら、特許文献１のコーナーパッドは、第１端壁部に連続した内側壁部と第２端壁部に連続した外側壁部とが切断されている。そのため、組立時には、内側壁部を包み込むように外側壁部および折込壁部を折り曲げ、更に係止穴部に係止片部を係止しなければならないため、組立作業性が悪い。しかも、第１および第２端壁部に対して開く方向に外力が加わると、係止穴部と係止片部の係止が解除されて簡単に分解（展開）される。
【０００５】
特許文献２のコーナーパッドは、内側端壁部と外側端壁部とを貼着することにより、第１端壁部に対して直交方向に延びる第２端壁部を設けているため、外力が加わっても簡単に分解されることはない。しかし、非使用（出荷）時に平坦に折畳み可能としているため、折曲線に沿った折癖が側壁部に残り、使用の際に組立状態を維持できない。
【先行技術文献】
【特許文献】
【０００６】
【特許文献１】米国特許第４１２７１９２号明細書
【特許文献２】実開昭６４−１４６６２号公報
【発明の概要】
【発明が解決しようとする課題】
【０００７】
本発明は、簡単に組み立てることが可能で、組立状態を確実に維持できるコーナーパッドを提供することを課題とする。
【課題を解決するための手段】
【０００８】
前記課題を解決するため、本発明のコーナーパッドは、物品の第１端面を覆う第１端壁部と、前記第１端壁部の一端縁に連続し、前記物品の第１端面と隣接する第２端面を覆う第２端壁部と、前記第１端壁部の側縁に連続し、前記物品の第１および第２端面に隣接する前面または後面をそれぞれ覆う一対の側壁部と、前記第２端壁部の側縁に連続するとともに前記側壁部の端縁に連続し、前記第１および第２端壁部の境界部から傾斜して延びる区画用罫線により区画され、前記区画用罫線に沿った折り曲げにより前記側壁部の内側に重畳配置される第１および第２折込壁部と、前記第１折込壁部、前記第２折込壁部および前記側壁部の順番で内側から重畳した状態を保持する保持部と、を備える構成としている。
【０００９】
このコーナーパッドは、第１端壁部に対して第２端壁部を折り曲げ、２つ折りにした状態で、第１端壁部に対して一対の側壁部を第２端壁部の側へ折り曲げる。または、重畳した第１および第２端壁部が離反するように開く。これにより連動して、第１折込壁部が第２折込壁部に対して折れ曲がり、第２端壁部が第１折込壁部に対して折れ曲がる。そして、第１折込壁部、第２折込壁部および側壁部を重畳させると、第１端壁部に対して第２端壁部が直交方向に延びた状態をなす。最後に、保持部により重畳した壁部を保持させることにより、組立状態を確実に維持できる。このように、ワンアクションで簡単に組み立て、保持部によって確実に組立状態を維持できる。
【００１０】
組立状態では、内側に折り込まれた第１および第２折込壁部は、保持部による保持を解除して、第１端壁部に対して側壁部を広げなければ展開することはできない。そのため、第１および第２端壁部に対して外力が開閉方向に加わっても、第１および第２折込壁部が展開不可能なため、組立状態が解除されることはない。よって、使用上の利便性を大幅に向上できる。しかも、コーナーパッドの側部は、部分的ではあるが３層構造であるため、緩衝（保護）性を向上できる。
【００１１】
このコーナーパッドでは、前記第１および第２端壁部を境界線に沿って折り曲げ、重畳する前記側壁部と前記第２折込壁部とを貼着し、前記第１および第２端壁部を広げることにより組立可能とすることが好ましい。このようにすれば、側壁部の折り曲げ、または、第１および第２端壁部の開きに連動して、各壁部を折り曲げることが可能であるため、更に組立作業性を向上できる。
【００１２】
また、前記保持部は、中央に位置する前記第２折込壁部に形成した挿通溝と、外端に位置する前記側壁部および内端に位置する前記第１折込壁部のうち、一方に設けた係止溝と他方に設けた係止舌片とを有することが好ましい。このようにすれば、簡単かつ確実に第１折込壁部、第２折込壁部および側壁部の積層状態を保持できる。
【発明の効果】
【００１３】
本発明のコーナーパッドでは、２つ折りにした状態で、側壁部の折り曲げ、または、第１および第２端壁部の開きにより、第１端壁部に対して第２端壁部が直交方向に延び、第１折込壁部、第２折込壁部および側壁部が順番に重畳した組立状態とすることができる。また、組立状態では、外力が作用しても組立状態が解除されることはない。しかも、部分的な３層構造体としているため、緩衝性を向上できる。
【図面の簡単な説明】
【００１４】
【図１】本発明に係る実施形態のコーナーパッドの使用状態を示す斜視図。
【図２】コーナーパッドの打抜状態を示す斜視図。
【図３】コーナーパッドの非使用状態を示す斜視図。
【図４】コーナーパッドの組立工程を示す斜視図。
【図５】図４の続きの組立工程を示す斜視図。
【図６】コーナーパッドのブランクを示す平面図。
【図７】（Ａ）〜（Ｄ）は図６の要部拡大断面図
【発明を実施するための形態】
【００１５】
以下、本発明の実施の形態を図面に従って説明する。
【００１６】
図１は、本発明に係る実施形態のコーナーパッド２０を物品１に配設した状態を示す。このコーナーパッド２０は、直交方向に延びる第１および第２端壁部２１，２２と、一対の側壁部２４，２４と、各側壁部２４，２４内に折り込まれる第１および第２折込壁部２９，３０とを備え、保持部３７により組立状態が維持される。
【００１７】
物品１は、例えば窓枠、ドア、パネルなどの正面視矩形状をなす所定厚さの板状体である。外周部には、厚さに相当する端面２ａ〜２ｄを備える。端面２ａ〜２ｄは、上下および左右の方向性などは規定されていない。そのため、仮に上下の端面２ａ，２ｂを第１端面とすると、隣接する第２端面は左右の端面２ｃ，２ｄとなる。また、左右の端面２ｃ，２ｄを第１端面とすると、隣接する第２端面は上下の端面２ａ，２ｂとなる。但し、以下では、上下の端面２ａ，２ｂを第１端面、左右の端面２ｃ，２ｄを第２端面として説明する。
【００１８】
コーナーパッド２０は、段ボール紙１０を周知の紙器打抜装置によって、図６に示す一枚のブランクとして打ち抜いて形成される。段ボール紙１０は、図７（Ａ）に示すように、表ライナ１１および裏ライナ１２の間に波状の中しん１３を配設した構成である。
【００１９】
図６に示すように、コーナーパッド２０のブランクは平面視矩形状をなす。中央下部には物品１の第１端面２ａ，２ｂを覆う第１端壁部２１を備える。第１端壁部２１は、中しん１３の延び方向を長手方向とした矩形状である。短手方向の幅は、物品１の厚さである端面２ａ〜２ｄの幅より、段ボール紙１０の肉厚の約４枚分大きく形成されている。
【００２０】
第１端壁部２１の上側に位置する端縁には、物品１の第２端面２ｃ，２ｄを覆う第２端壁部２２が連設されている。第２端壁部２２は、長手方向の寸法および短手方向の寸法が第１端壁部２１と同一の矩形状である。第１および第２端壁部２１，２２の境界には、図７（Ｂ）に示すように、肉厚を圧縮するように裏ライナ１２の側から罫を入れて形成した第１折曲線（境界線）２３が設けられている。
【００２１】
第１端壁部２１の両側縁には、物品１の端面２ａ〜２ｄに隣接する前面３または後面４を覆う正方形状をなす側壁部２４，２４が連設されている。側壁部２４の上側に位置する端縁は、第１端壁部２１の端縁と直線上に位置する。側壁部２４と第１端壁部２１との境界には、屈曲用罫線２５が設けられている。屈曲用罫線２５には、略倒Ｕ字形状をなす一対の第１切断線２６，２６が設けられ、第１切断線２６を除く部分に第２折曲線２７が設けられている。第１切断線２６は、図７（Ｃ）に示すように、裏ライナ１２から表ライナ１１にかけて刃を入れて形成される。第１端壁部２１および側壁部２４にかけて延びる一対の第１切断部２６ａ，２６ａと、第１端壁部２１内において第１切断部２６ａ，２６ａの先端間にかけて延びる第２切断部２６ｂとを有する。これにより、第１切断線２６の内部には、折曲状態を保持するための保持片２８が形成される。
【００２２】
第２端壁部２２の両側縁および側壁部２４の上側の端縁には、側壁部２４の内側に重畳配置される第１折込壁部２９と第２折込壁部３０とが連設されている。第１および第２折込壁部２９，３０は、展開状態の平面視正方形状における対角線に沿って延びる区画用罫線３４により区画されている。言い換えれば、第２端壁部２２の側縁には第１折込壁部２９が連設され、側壁部２４の端縁には第２折込壁部３０が連設され、これら折込壁部２９，３０の境界に区画用罫線３４が設けられている。
【００２３】
第１折込壁部２９と第２端壁部２２との境界には、側壁部２４と第１端壁部２１との境界部分と同様に、屈曲用罫線２５が設けられている。第２折込壁部３０と側壁部２４との境界には、これらを積層状態に折り曲げるため積層用罫線３１が設けられている。積層用罫線３１は、第２切断線３２と連続部３３とを備える。第２切断部は、第１切断線２６と同様に、裏ライナ１２から表ライナ１１にかけて刃を入れて形成される。連続部３３は、第２切断線３２の内側端部に直交方向に延びるように設けた一対の切断部３３ａ，３３ａと、これら切断部３３ａ，３３ａの両端間にかけて延びる折曲線３３ｂ，３３ｂとで構成される。
【００２４】
区画用罫線３４は、第１および第２端壁部２１，２２の境界端部から傾斜して延びる長円形状の打抜部３５と、打抜部３５の端部から角部にかけて延びるハーフカット部３６とを備える。打抜部３５は、長円筒状の刃により打ち抜いて形成される。図７（Ｄ）に示すように、ハーフカット部３６は、裏ライナ１２の側から刃を入れて、裏ライナ１２を切断し、表ライナ１１は切断しない連続部３３とした構成である。なお、中しん１３は、切断した状態を図示しているが、一部のみが切断される場合および切断されない場合がある。
【００２５】
第１および第２折込壁部２９，３０は、区画用罫線３４に沿って折り曲げられることにより重畳され、組立状態では側壁部２４の内側に更に重畳されて、３層構造となる。この積層状態を保持するための保持部３７が、側壁部２４、第１および第２折込壁部２９，３０の全てが重なる縁に設けられている。具体的には、組立状態で内側端に位置する第１折込壁部２９に設けた係止舌片３８を備える。係止舌片３８は、端縁から互いに近接するように傾斜して延びる一対の第３切断線３９，３９と、第３切断線３９，３９間にかけて延びる第３折曲線４０とを設けることにより、これらの間に形成されている。この係止舌片３８は組立状態で外向きに突出するため、物品１に装着する際に干渉して邪魔になることはないうえ、物品１を傷つけることもない。また、保持部３７は、組立状態で中央に位置する第２折込壁部３０に設けた挿通溝４１と、組立状態で外側端に位置する側壁部２４に設けた係止溝４２とを備える。これら挿通溝４１および係止溝４２は、側縁の対応位置に矩形状の打抜部を設けることにより形成される。
【００２６】
このように打ち抜いたコーナーパッド２０の使用方法の一例について説明する。
【００２７】
まず、図２に示すように、裏ライナ１２を上側に位置させ、第１折曲線２３および積層用罫線３１に沿って２つに折り曲げる。即ち、図３に示すように、第１端壁部２１に対して第２端壁部２２を折り曲げるとともに、側壁部２４に対して第１および第２折込壁部２９，３０を折り曲げる。この際、第２折込壁部３０に熱溶融樹脂からなる接着剤（ホットメルト）または酢酸ビニルエマルジョン系などの接着剤を塗布し、重畳する側壁部２４と貼着する。
【００２８】
このように２つ折りして貼着した状態でコーナーパッド２０が所定の納入先に出荷され、物品１を輸送する際に組み立てて装着される。
【００２９】
組立時には、図４に示すように、第１端壁部２１に対して屈曲用罫線２５を軸として、一対の側壁部２４，２４を重畳した第２端壁部２２の側へ折り曲げる。または、重畳した第１および第２端壁部２１，２２が離反するように開く。これにより連動して、区画用罫線３４に沿って第１折込壁部２９が第２折込壁部３０に対して折れ曲がり、第２端壁部２２が第１折込壁部２９に対して折れ曲がる。この連動作用は、第２折込壁部３０と側壁部２４との貼着により、確実かつ効率的に得ることができる。
【００３０】
そして、図５に示すように、第１折込壁部２９、第２折込壁部３０および側壁部２４を重畳させると、第１端壁部２１に対して第２端壁部２２が直交方向に延びた状態をなす。最後に、図１に示すように、係止舌片３８を外向きに折り曲げることにより、挿通溝４１を挿通させて係止溝４２に係止する。これにより、重畳した壁部２４，２９，３０を簡単かつ確実に保持できる。
【００３１】
このように、本実施形態のコーナーパッド２０は、側壁部２４の折曲操作または第１および第２端壁部２１，２２の開き操作により、ワンアクションで簡単に組み立て状態とすることができる。その後、保持部３７で壁部２４，２９，３０の積層状態を保持させることにより、確実に組立状態を維持できる。
【００３２】
組立状態では、内側に折り込まれた第１および第２折込壁部２９，３０は、保持部３７による保持を解除して、第１端壁部２１に対して側壁部２４を広げなければ展開することはできない。そのため、第１および第２折込壁部２９，３０の延び方向であり、第１および第２端壁部２１，２２が離反または近接する方向である、開閉方向に外力が加わっても、第１および第２折込壁部２９，３０は展開不可能である。よって、組立状態が解除されることはないため、使用上の利便性を大幅に向上できる。しかも、コーナーパッド２０の側部は、部分的ではあるが３層構造であるため、緩衝（保護）性を向上できる。また、折癖等の不要な変形力は作用しないため、物品１への組付作業性、装着状態の安定性を向上できる。
【００３３】
なお、本発明のコーナーパッド２０は、前記実施形態の構成に限定されるものではなく、種々の変更が可能である。
【００３４】
例えば、実施形態では、内側端に位置する第１折込壁部２９に係止舌片３８を設け、外側端に位置する側壁部２４に係止溝４２を設けたが、外側端に位置する側壁部２４に係止舌片３８を設け、内側端に位置する第１折込壁部２９に係止溝４２を形成してもよい。この場合、内向きに突出する係止舌片３８を物品１の係止片としても用い、装着状態での離脱防止を図ることができる。また、係止舌片３８、挿通溝４１および係止溝４２は、第１および第２折込壁部２９，３０および側壁部２４の縁ではなく中央に設けてもよい。さらに、保持部３７は、係止舌片３８、挿通溝４１および係止溝４２の構成に限られず、第１および第２折込壁部２９，３０および側壁部２４の積層状態を保持できる構成であれば、いずれでも適用可能である。
【００３５】
また、実施形態では、側壁部２４と第２折込壁部３０とを接着剤により貼着したが、貼着しない構成としてもよい。さらに、側壁部２４を正方形状に形成したが、第１端壁部２１および第２折込壁部３０の縁に連続する直角三角形状としてもよい。そして、各壁部の境界に形成する第１折曲線２３、屈曲用罫線２５、積層用罫線３１および区画用罫線３４は、実施形態の構成に限られず、希望に応じて変更が可能である。
【符号の説明】
【００３６】
１…物品
２ａ〜２ｄ…端面
３…前面
４…後面
２０…コーナーパッド
２１…第１端壁部
２２…第２端壁部
２３…第１折曲線（境界線）
２４…側壁部
２５…屈曲用罫線（境界線）
２９…第１折込壁部
３０…第２折込壁部
３１…積層用罫線（境界線）
３４…区画用罫線（境界線）
３７…保持部
３８…係止舌片
４１…挿通溝
４２…係止溝
【図１】
2014091548.tif 000003
【図２】
2014091548.tif 000004
【図３】
2014091548.tif 000005
【図４】
2014091548.tif 000006
【図５】
2014091548.tif 000007
【図６】
2014091548.tif 000008
【図７】
2014091548.tif 000009